【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
被検体の体表における入射線量を計算する線量計算部と、
前記被検体の内部構造を含む３次元の元画像データ上に、計算された前記入射線量に基づく情報を、前記被検体の体表の各位置に対応するように重畳させた３次元の合成画像データを生成すると共に、前記３次元の合成画像データに基づく合成画像を表示部に表示させる合成画像表示部と、
を有し、
前記合成画像表示部は、
前記３次元の合成画像データの回転指示を受け付け、
回転後の３次元の合成画像データに基づく合成画像を前記表示部に表示させる、
医用画像処理装置。
【請求項２】
前記３次元の元画像データは、前記被検体を撮影して得られた医用画像データである、
請求項１に記載の医用画像処理装置。
【請求項３】
前記３次元の元画像データは、前記被検体の血管を前記内部構造として含む医用画像データである、
請求項１又は２に記載の医用画像処理装置。
【請求項４】
前記線量計算部は、前記入射線量として、前記被検体の皮膚被曝線量を計算する、
請求項１乃至３のいずれか１項に記載の医用画像処理装置。
【請求項５】
前記合成画像表示部は、前記３次元の合成画像データを回転させている間、前記３次元の元画像データを強調する画像データを前記３次元の合成画像データとして生成する一方、前記３次元の合成画像データを回転させていない間、前記入射線量に基づく情報を強調する画像データを前記３次元の合成画像データとして生成する、
請求項１乃至４のいずれか１項に記載の医用画像処理装置。
【請求項６】
被検体への入射線量を計算する線量計算部と、
前記被検体の内部構造を含む３次元の元画像データ上に、計算された前記入射線量に基づく情報を重畳させた３次元の合成画像データを生成すると共に、前記３次元の合成画像データに基づく合成画像を表示部に表示させる合成画像表示部と、
を有し、
前記合成画像表示部は、前記３次元の合成画像データを回転させている間、前記３次元の元画像データを強調する画像データを前記３次元の合成画像データとして生成する一方、前記３次元の合成画像データを回転させていない間、前記入射線量に基づく情報を強調する画像データを前記３次元の合成画像データとして生成する、
医用画像処理装置。
【請求項７】
前記３次元の元画像データは、前記被検体を撮影して得られた医用画像データである、
請求項６に記載の医用画像処理装置。
【請求項８】
前記３次元の元画像データは、前記被検体の血管を前記内部構造として含む医用画像データである、
請求項６又は７に記載の医用画像処理装置。
【請求項９】
前記合成画像表示部は、前記３次元の元画像データ上に、計算された前記入射線量に基づく情報を、前記被検体の体表の各位置に対応するように重畳させた前記３次元の合成画像データを生成する、
請求項６乃至８のいずれか１項に記載の医用画像処理装置。
【請求項１０】
前記合成画像表示部は、
前記３次元の元画像データを第１の３次元データとして生成し、
前記被検体を示す人体モデルの体表位置に前記入射線量に基づく情報を示す第２の３次元データを生成し、
前記第１の３次元データと前記第２の３次元データとを重畳した前記３次元の合成画像データを生成する、
請求項６乃至９のいずれか１項に記載の医用画像処理装置。
【請求項１１】
前記合成画像表示部は、前記第１の３次元データと前記第２の３次元データとを重畳する際、前記第２の３次元データが示す線量値を左右反転することで、前記第１の３次元データと前記第２の３次元データとを重畳する、
請求項１０に記載の医用画像処理装置。
【請求項１２】
前記合成画像表示部は、前記第１の３次元データと前記第２の３次元データとを重畳する際、前記第２の３次元データに対して拡大処理を行って、前記第１の３次元データと前記第２の３次元データとを重畳する、
請求項１０に記載の医用画像処理装置。
【請求項１３】
前記合成画像表示部は、前記被検体にＸ線を照射する範囲を示すＸ線画像データ表示領域を、前記３次元の合成画像データにさらに重畳する、
請求項１０に記載の医用画像処理装置。
【請求項１４】
前記合成画像表示部は、前記第１の３次元データまたは前記第２の３次元データにおける前記Ｘ線画像データ表示領域について、互いに対応する領域を前記表示部に表示させる、
請求項１３に記載の医用画像処理装置。
【請求項１５】
前記合成画像表示部は、
前記被検体にＸ線を照射可能な範囲において、所定の角度の間隔で１つまたは複数の前記３次元の合成画像データを生成し、
１つまたは複数の前記３次元の合成画像データに基づいて前記１つまたは複数の合成画像を表示させ、
前記１つまたは複数の合成画像の中から１つの合成画像の選択を受け付け、その選択された合成画像に対応する照射角度でその選択された合成画像を表示させる、
請求項１０に記載の医用画像処理装置。
【請求項１６】
前記線量計算部は、前記被検体にＸ線を照射可能な範囲において、前記入射線量に基づいて、前記被検体にＸ線を照射する範囲を示すＸ線画像データ表示領域における最大入射線量または平均入射線量を示す線量マップを生成し、
前記合成画像表示部は、前記被検体を撮影して得られた前記３次元の元画像データと前記線量マップとを関連付けて、前記線量マップが示す位置に対応する前記３次元の元画像データ、または、前記３次元の元画像データの照射角度に対応する前記線量マップの位置を表示させる、
請求項１０に記載の医用画像処理装置。
【請求項１７】
前記線量計算部は、前記被検体にＸ線を照射可能な範囲において、前記被検体にＸ線を照射する範囲を示すＸ線画像データ表示領域における推定入射線量を示す推定線量マップを生成し、
前記合成画像表示部は、前記被検体を撮影して得られた前記３次元の元画像データと前記推定線量マップとを関連付けて、前記推定線量マップが示す位置に対応する前記３次元の元画像データ、または、前記３次元の元画像データの照射角度に対応する前記推定線量マップの位置を表示させる、
請求項１０に記載の医用画像処理装置。
【請求項１８】
前記３次元の元画像データは、血管を前記内部構造として含む医用画像データである、
請求項６乃至１７のいずれか１項に記載の医用画像処理装置。
【請求項１９】
前記３次元の元画像データを生成する生成部と、
請求項１乃至１８のいずれか１項に記載の前記医用画像処理装置と、
を有するＸ線画像診断装置。
【手続補正２】
【補正対象書類名】明細書
【補正対象項目名】発明の名称
【補正方法】変更
【補正の内容】
【発明の名称】医用画像処理装置及びＸ線画像診断装置
【手続補正３】
【補正対象書類名】明細書
【補正対象項目名】０００１
【補正方法】変更
【補正の内容】
【０００１】
本発明の実施形態は、医用画像処理装置及びＸ線画像診断装置に関する。
【手続補正４】
【補正対象書類名】明細書
【補正対象項目名】００１０
【補正方法】変更
【補正の内容】
【００１０】
本実施形態に係る医用画像処理装置は、上述した課題を解決するために、被検体の体表における入射線量を計算する線量計算部と、前記被検体の内部構造を含む３次元の元画像データ上に、計算された前記入射線量に基づく情報を、前記被検体の体表の各位置に対応するように重畳させた３次元の合成画像データを生成すると共に、前記３次元の合成画像データに基づく合成画像を表示部に表示させる合成画像表示部と、を有する。前記合成画像表示部は、前記３次元の合成画像データの回転指示を受け付け、回転後の３次元の合成画像データに基づく合成画像を前記表示部に表示させる。